(57)【要約】【課題】  本発明は魚釣り用電動リールから従来の手巻き用ハンドルを含め手巻き機構を省略し、リールの操作を簡略化することで、初心者にも扱い易く、安全な電動リールを提供する。【解決手段】  電動リールから手巻き用ハンドルを含む手巻き機構を省略し、電動リールの任意の位置に設けたボタン、あるいはレバーなどの手動切替え手段を押圧、あるいは押倒す操作でラインの自由な送り出し、巻き上げ、停止の魚釣りの一連の動作を可能とした電動リールを提供する。手巻き機構を省略することでより一層電動リールの小型、軽量化が可能となり、リール操作を簡略化し扱い易いものとなる。また操作するボタン、あるいはレバーなどを、ロツドを握つた手の指で容易に操作出来る位置に設けることで、片手でロツド、およびリールを操作することが可能で、岩場などでの安全性の向上が図られるとともに、引き寄せた魚をタモなどで掬い上げる動作も容易となる。【選択図】  図１
2005137354.tif 000002
【特許請求の範囲】
【請求項１】
手巻き用ハンドルを含め手巻き機構を省略したベイト式の電動リール（１）で、リールの任意の位置に設けたボタン、あるいはレバー（２）などの手動切替え手段を押圧、あるいは押倒する操作で、リール本体に回転可能に支持されたスプール（３）をバツテリーからの電源で駆動する駆動装置（４）から切り離してフリーにしライン（５）を自由に送り出し、また押圧し、あるいは押倒した手動切替え手段を放して中立の位置に戻すなどの操作でスプールと駆動装置が減速機構を介して接続するとともに駆動装置をＯＦＦにするなどの方法で、スプールを固定してラインの送り出し、巻上げを停止し、さらに隣接するボタン、あるいはレバーなどの手動切り替え手段を押圧、あるいは逆方向に押倒するなどの操作で、駆動装置をＯＮにして駆動装置に接続したスプールを駆動しラインを巻き上げる魚釣りの一連の動作を可能とした電動リール（１）。
【請求項２】
手巻き用ハンドルを含め手巻き機構を省略したスピニング式の電動リール（１）で、リールの任意の位置に設けたボタン、あるいはレバー（２）などの手動切替え手段を押圧、あるいは押倒する操作で、バツテリーからの電源で駆動する駆動装置（４）に減速機構などを介して接続した回転体（８）に具備されたベール（７）を起してライン（６）をリール本体に前後の反復運動可能に支持されたスプール（３）から自由に送り出し、また押圧、あるいは押倒した手動切替え手段を放して中立の位置に戻すなどの操作で、ベールを元の位置に戻し、駆動装置をＯＦＦにし駆動装置に接続した回転体を固定するなどの方法でラインの送り出し、巻上げを停止させ、さらに隣接するボタン、あるいはレバーなどの手動切り替え手段を押圧、あるいは逆方向に押倒するなどの操作で、駆動装置をＯＮにし、回転体を駆動してラインをスプールに巻き上げる魚釣りの一連の動作を可能とした電動リール（１）。
【発明の詳細な説明】
【発明の詳細な説明】
【技術分野】
【０００１】  本発明は釣り道具のリールのうち、電動リールに関するものである。
【背景技術】
【０００２】  従来、魚釣り用の電動リールは大型で重いことと、動力源となるバツテリーがかなりの重量だつたためバツテリーを装備した船釣りなどでの深場釣りに多用されていた。しかし近年、小型で強力なモーターの登場で電動リールの小型、軽量化が進み、手巻き式ベイトリール並の製品が登場するようになって来た。しかしそれでも電動リールは、スプールを駆動装置から切り離すためのクラツチや、ラインをＯＮ，ＯＦＦで巻き上げ、停止させるレバーあるいはボタンなどが装備されており、加えて手巻き用のハンドルや、引きの強さに応じてラインを送り出すドラグなどが装備されているため操作が煩雑で初心者にとっては扱いにくく、専ら上級者向けのリールとして利用されている。また手巻き用のハンドルはロツドを持つた片手だけの操作が困難で、岩場などの釣りでは危険が伴い引き寄せた魚をタモ網などで掬い上げる作業も煩雑なものとなつている。
【発明が解決しようとする課題】
【０００３】  本発明は、魚釣り用の電動リールから従来の手巻き用ハンドルを含め手巻き機構を省略し、リールの操作を簡略化することで、初心者にも扱い易く、安全な電動リールを提供するものである。
【課題を解決するための手段】
【０００４】  小型で強力なモーターの登場で、小型、軽量の魚釣り用電動リールの製作が可能となって来たのに加え、電動リールの動力源としてのバツテリーも従来に比べ、軽量、長寿命のバツテリーが供給されるようになつて来ている、今後、酸素電池などが実用化されると、安全でさらに長寿命のバツテリーが提供されることになる。こうした環境を踏まえ、電動リール１から手巻き用ハンドルを含む手巻き機構を省略し、電動リールの任意の位置に設けたボタン、あるいはレバー２などの手動切替え手段を押圧、あるいは押倒す操作で、ライン５の自由な送り出し、巻き上げ、停止の魚釣りの一連の動作を可能とした電動リールを提供する。手巻き機構を省略することでより一層電動リールの小型、軽量化が可能となり、リール操作を簡略化し扱い易いものとなる。さらに操作するボタン、あるいはレバーなどの手動切替え手段を、ロツドを握つた手の親指、あるいは人指し指などで容易に操作出来る位置に設けることで、片手でロツド９、およびリール１を操作することが可能で、岩場などでの安全性の向上が図られるとともに、引き寄せた魚をタモなどで掬い上げる動作も容易となる。本発明はリールから手巻き用ハンドルを含めた手巻き機構を省略し、リールに設けたボタン、あるいはレバーなどの手動切替え手段の操作で、魚釣りの一連の動作を行なう電動リールを提供することで初心者でも扱いやすいリールを提供するものである。
【０００５】  請求項１記載の電動リール１は、従来のベイトリールを電動化したもので、手巻き用のハンドルを含む手巻き機構を省略したリールである。リールの任意の位置に設けたボタン、あるいはレバー２などの手動切替え手段を押圧、あるいは一方向に押倒すなどの操作で、リール本体に回転可能に支持されたスプール３をバツテリーの電源で駆動する駆動装置４から切り離してフリーにすることで、ライン５を自由に送り出し、また押圧、あるいは押倒した手動切替え手段を放して中立の位置に戻すなどの操作でスプールと駆動装置が減速機構を介して接続するとともに駆動装置をＯＦＦにするなどの方法でスプールを固定して、ラインの送り出し、巻き上げを停止する、さらに隣接するボタンあるいはレバーなどの手動切替え手段を押圧、あるいは反対方向に押倒するなどの操作で駆動装置をＯＮにし、駆動装置と接続したスプールを駆動することでラインを巻き上げる魚釣りの一連の動作を可能にした電動リールである。
【０００６】  請求項２記載の電動リール１は、従来のスピニングリールを電動化したもので、手巻き用のハンドルを含む手巻き機構を省略したリールである。リールの任意の位置に設けたボタン、あるいはレバー２などの手動切替え手段を押圧、あるいは一方向に押倒すなどの操作で、回転体８に具備されたベール７を起してライン５をリール本体に前後の往復運動を可能に支持されたスプール３から自由に送り出し、また押圧、あるいは押倒した手動切替え手段を放して中立の位置に戻すなどの操作でベールを元の位置に戻し、それとともにバツテリーの電源で駆動する駆動装置４をＯＦＦにするなどの方法で駆動装置に減速機構などを介して接続した回転体８を固定し、ラインの送り出し、巻き上げが停止する、さらに隣接するボタン、あるいはレバーなどの手動切替え手段を押圧、あるいは反対方向に押倒するなどの操作で駆動装置をＯＮにし、ベールを具備した回転体を駆動することでラインをスプールに巻き上げる魚釣りの一連の動作を可能とした電動リールである。
【発明を実施するための最良の形態】
【０００７】  発明の実施の形態について図面を参照して説明する。
図１は、請求項１記載の電動リールの１例を示す図で、上から見た姿図である。本図は任意の位置に設けた一本のレバーでリールを操作する１例で、図のリール本体の一部は切り欠き、内部にバツテリーの電源で動く駆動装置があることを示している。１は電動リール、２はレバー、３はスプール、４は駆動装置、５はライン、６は電動リールとバツテリーを接続する電源コード、９はロッドである。リールの任意の位置に設けたレバー２を本例では右方向に押倒することで、リール本体に回転可能に支持されたスプール３が駆動装置から分離してフリーになり、ライン５を自由に送り出すことが可能になる。また押倒したレバーを放すとレバーは中立の位置に戻り、スプールと駆動装置が減速機構を介して接続するとともに、駆動装置がＯＦＦになり、スプールが固定されてラインの送り出し、巻き上げが停止する。さらにレバーを反対方向に押倒することで駆動装置がＯＮになり、駆動装置と接続したスプールを駆動することでラインを巻き上げることが可能となる。本発明の電動リールは手巻き用のハンドルを含む手巻き機構を省略している、リールの構造を簡素化して小型、軽量化を図るとともに、ハンドルを省略したことでリールの操作を簡略化することが可能である。また操作するボタン、あるいはレバー２などの手動切替え手段を、ロツド９を握つた手の指で容易に操作出来る位置に設けることで、片手でロツド、およびリールを操作することが可能で、岩場などでの安全性の向上が図られるとともに、引き寄せた魚をタモなどで掬い上げる動作も容易となる。なお魚の引きに応じてスプールが固定されていてもラインが出るドラグ機構、水深表示などの液晶パネル、バツクラツシユを防止するブレーキ機構などについては本発明においてはその有無を問はない。【０００８】  図２は、請求項２記載の電動リールの１例を示す図で、側面から見た姿図である。本図は任意の位置に設けた１本のレバーで操作するリールの１例で、図のリール本体の一部を切り欠き内部にバツテリーの電源で動く駆動装置があることを示している。１は電動リール、２はレバー、３はスプール、５はライン、７はベール、８はベールを具備し、駆動装置に接続された回転体、４はバツテリーの電源で駆動する駆動装置、６は電動リールとバツテリーを接続する電源コードである。リールに設けた１本のレバー２を本図では左方向に押倒することで、回転体に具備されたベール７を起してライン５をスプール３から自由に送り出す。また押倒したレバーを放すとレバーは中立の位置に戻り、ベールが元の位置に戻るとともに、駆動装置４がＯＦＦになり駆動装置に接続したベールを具備した回転体８が固定して、ライン５の送り出し、巻き上げが停止する。さらにレバー２を右方向（ロッド方向）に押倒することで駆動装置がＯＮになり、回転体を駆動することでライン６を巻き上げるものである。本発明の電動リールは手巻き用のハンドルを含む手巻き機構を省略している、リールの構造を簡素化して小型、軽量化を図るとともに、リールの操作を簡略化することが可能である。また操作するボタン、あるいはレバーなどの手動切替え手段を、ロツドを握つた手の指で容易に操作出来る位置に設けることで、片手でロツド、およびリール���操作することが可能で、岩場などでの安全性の向上が図られるとともに、引き寄せた魚をタモなどで掬い上げる動作も容易となる。なお魚の引きに応じてスプールが固定されていてもラインが出るドラグ機構、水深表示などの液晶パネル、バツクラツシユを防止するブレーキ機構などについては本発明においてはその有無を問はない。
【発明の効果】
【０００９】  本発明の電動リールは、手巻き用のハンドルを含む手巻き機構を省略し、リールの任意の位置に設けたボタン、あるいはレバーなどの手動切替え手段の操作で、ラインの送り出し、巻上げ、停止など魚釣りの一連の動作を行なうことで、電動リールの小型、軽量化を図り、リールの操作を簡略化することが可能である。
【００１０】  リールの操作方法は、釣り人によって千差万別であるが、一例としてベイトリールを電動化したリールの操作を図３を利用して説明すると、仕掛けの投入、キャステイングを行なう時はロツド９の振り出しとともに親指などでレバー２を右側Ａに押倒することで、リール本体に回転可能に支持されたスプールが駆動装置から切り離されてフリーになりラインは自由に送り出される。仕掛けが目的の深度、あるいは地点に到達した時点でレバーを放し中立の位置Ｂに戻すことで、駆動装置はＯＦＦとなり、駆動装置に減速機構などを介して接続されたスプールは固定されてラインの送り出しは停止する。レバーを左側Ｃに押倒することで、駆動装置がＯＮになり、スプールが駆動しラインを巻き上げることが可能になる、無段階アクセルレバーを併用することで、レバーを押倒す強弱によって巻き上げ速度を加減でき、ロツドの操作とともに獲物（魚）を誘い出す操作は十分確保出来る。また、獲物がロツドの撓りを上回る急激な引き込みを見せた場合にはレバーを素早く右側に押倒すことでラインは送り出され、ラインの切断を防ぐことが出来る。
【００１１】  また一例としてスピニングリールを電動化したリールの操作を図４を利用して説明すると、仕掛けの投入、キヤステイングを行なう時はロツドの振り出しと同時に人指し指などでレバー２をＤの方向に押倒することで、回転体８に具備されたベールが起き、ラインはスプールから自由に送り出される。仕掛けが目的の深度、あるいは地点に到達した時点でレバーを放し中立の位置Ｅに戻すことで、駆動装置に減速機構などを介して接続した回転体に具備されたベールが倒れて元にもどり、駆動装置がＯＦＦとなることで回転体が固定し、ラインの送り出しは停止する。レバーをＦの方向に押倒することで、駆動装置がＯＮになり、駆動装置に接続した回転体が駆動してスプールにラインを巻き上げることが可能になる。これまで上級者用として用いられていた電動リールから手巻き用ハンドルを含む手巻き機構を省略し、ボタン、レバーなどの手動切替え手段の操作で、ラインの送り出し、停止、巻き上げの機能を持たせることでリールの操作を簡略化し、女性、子供など初心者にも扱い易い電動リールを提供することが可能である。
【図面の簡単な説明】
【図１】  請求項１記載の電動リールの１例の上から見た姿図。
【図２】  請求項２記載の電動リールの１例の側面から見た姿図。
【図３】  請求項１記載のレバー部分の部分図。
【図４】  請求項２記載のレバー部分の部分図。
【符号の説明】
１  …  電動リール
２  …  レバー
３  …  スプール
４  …  駆動装置
５  …  ライン
６  …  電源コード
７  …  ベール
８  …  回転体
９  …  ロツド
【図１】
2005137354.tif 000003
【図２】
2005137354.tif 000004
【図３】
2005137354.tif 000005
【図４】
2005137354.tif 000006